(57)【要約】【課題】  カウンターにかかる荷重を洗面器台で受けることができ、すっきりとした意匠性に優れた設置状態が得られる洗面器台付きカウンターを提供する。【解決手段】  洗面器台５とカウンター４を別体で形成し、洗面器台５をブラケット７で浴室の壁面Ｗに強固に固設し、この洗面器台５の上面奥部のカウンター載置凹部５ｅ上にカウンター４を嵌め込み載置して設置でき、設置状態で、洗面器台５の上面５ｄは、カウンター４の前面４ｂよりも前面に突出し、しかもカウンターの上面４ａよりも上側に突出して設置される。【選択図】  図４
2006025887.tif 000002
【特許請求の範囲】
【請求項１】
洗面器台と、洗面器台とは別体のカウンターとからなり、前記洗面器台の上面奥部には、前記カウンターを載置するとともに該カウンターの嵌め込まれる凹部が設けられ、該凹部にカウンターが嵌め込まれ載置されていることを特徴とする洗面器台付きカウンター。
【請求項２】
前記カウンターが前記凹部に嵌め込まれ載置された状態において、前記洗面器台の前面の少なくとも一部は、前記カウンターの前面よりも突出しているとともに、該突出部は前記カウンター上面よりも上側に突出していることを特徴とする請求項１に記載の洗面器台付きカウンター。
【請求項３】
洗面器台とカウンターを別体で形成し、前記洗面器台を壁面に強固に固設して、該洗面器台上に前記カウンターを載置することを特徴とする洗面器台付きカウンターの取付方法。
【請求項４】
前記洗面器台は補強部材で前記壁面に強固に固定される請求項３に記載の洗面器台付きカウンターの取付方法。
【発明の詳細な説明】
【技術分野】
【０００１】
本発明は、浴室内に設置される洗面器台付きカウンター及びその取付方法に関するものである。
【背景技術】
【０００２】
従来、浴室内には洗面器台とカウンターが設置されているが、特許文献１に開示されているように、カウンターの前面に洗面器台を取り付けた構造のものや、カウンターと洗面器台を一体成形した構造のものが存在する。
【特許文献１】特開２００３−１１６７３７号公報
【発明の開示】
【発明が解決しようとする課題】
【０００３】
特許文献１のように、カウンターの前面に洗面器台を取り付けたものを浴室の壁面に固定する場合、カウンターを支持する大きなブラケットが必要であり、大きなブラケットを洗い場側から隠すためには、カウンターを厚みの大なる大型のものとする必要があり、カウンターを製造するための型が大きくなって、製造コストが増大してしまうという問題点がある。
また、カウンターと洗面器台が一体成形されたものでは、製造上、カウンターの上面と洗面器台の上面の水勾配が連続状のものでないと造りにくく、そのため、カウンターから洗面器台上面に連続した水勾配が形成されて意匠性が損なわれ、また洗面器台上面から洗面器が落ち易いという問題点があった。
【課題を解決するための手段】
【０００４】
本発明は上記従来の問題点に鑑み案出したものであって、カウンターの厚みを薄くすることができ、また、洗面器が落ちにくく、意匠性に優れた洗面器台付きカウンター及びその取付方法を提供することを目的とし、その請求項１は、洗面器台と、洗面器台とは別体のカウンターとからなり、前記洗面器台の上面奥部には、前記カウンターを載置するとともに該カウンターの嵌め込まれる凹部が設けられ、該凹部にカウンターが嵌め込まれ載置されていることである。
また、請求項２は、前記カウンターが前記凹部に嵌め込まれ載置された状態において、前記洗面器台の前面の少なくとも一部は、前記カウンターの前面よりも突出しているとともに、該突出部は前記カウンター上面よりも上側に突出していることである。
また、請求項３は、洗面器台とカウンターを別体で形成し、前記洗面器台を壁面に強固に固設して、該洗面器台上に前記カウンターを載置することを特徴とする洗面器台付きカウンターの取付方法である。
また、請求項４は、前記洗面器台は補強部材で前記壁面に強固に固定される請求項３に記載の洗面器台付きカウンターの取付方法である。
【発明の効果】
【０００５】
本発明の洗面器台付きカウンターは、洗面器台と、洗面器台とは別体のカウンターとからなり、洗面器台の上面奥部には凹部が設けられ、該凹部にカウンターが嵌め込まれ載置されていることにより、洗面器台上にカウンターが載るため、カウンターにかかる荷重を洗面器台で受けることができ、カウンターを薄く形成しておくことができる。また、洗面器台とカウンターは別体で形成されるものであるため、水勾配を逆向き等にして、洗面器が落ちにくく、しかも意匠性に優れたものにすることができる。
【０００６】
また、カウンターが凹部に嵌め込まれ載置された状態において、洗面器台の前面の少なくとも一部は、カウンターの前面よりも突出しているとともに、該突出部はカウンター上面よりも上側に突出していることにより、洗面器台がカウンターの前面に上方へ突出して、洗面器を置くスペースを良好に確保することができ、しかも、浴槽側からカウンター上に水が溢れ出たような場合でも洗面器の落下防止効果が大なものとなる。
【０００７】
また、洗面器台付きカウンターの取付方法は、洗面器台とカウンターを別体で形成し、洗面器台を壁面に強固に固設して、洗面器台上にカウンターを載置することとしたため、強固に固設された洗面器台上にカウンターが載るため、カウンターにかかる荷重を洗面器台で受けることができ、カウンターを別途壁面に固設する必要がなく、カウンターを薄く形成しておくことができる。また、洗面器台とカウンターは、水勾配を逆向き等にして別体で形成しておくことができ、意匠性に優れたものにすることができる。
【０００８】
また、洗面器台は補強部材で壁面に強固に固定されるため、補強部材は洗面器台で隠すことができ、強固に固設された洗面器台上にカウンターが載るため、カウンターにかかる荷重を洗面器台で受けることができ、カウンターを薄く形成しておくことができる。
【実施例】
【０００９】
以下、本発明の実施例を図面に基づいて説明する。
図１は、浴室の概略平面構成図であり、浴室１の浴槽２の側方には洗い場３が形成されており、この洗い場３側の壁面に、カウンター４と洗面器台５が設けられており、その要部拡大斜視図を図２に示す。
【００１０】
本例では、カウンター４と洗面器台５は別体で形成されたものとなっており、図３の分解斜視図で示すように、例えば２個のブラケット７，７を用いて、まず浴室の壁面Ｗに洗面器台５を強固に固設し、その後に、洗面器台５上にカウンター４を載置して設置できるものである。設置状態は、図４の縦断面側面構成図で示す。
【００１１】
カウンター４は、上面４ａと前面４ｂと底面４ｃで略コの字状の中空断面に形成されており、後端側には、上面側に上方へ傾斜して立ち上がる後面立上部４ｄと、下面側には後面垂下部４ｅが一体形成されており、上面４ａと底面４ｃ間の厚みは薄く形成されている。なお、上面４ａには、洗い場３側に向かって、排水用の水勾配が形成されている。
【００１２】
また、洗面器台５は、湾曲状の下面湾曲部５ａの前面に、連続状に立ち上げて前面立上部５ｂが形成されており、この前面立上部５ｂの上端に、上方へ向かって突出した突出部５ｃが一体形成されており、この突出部５ｃの上面５ｄには、更に上方へ突出した滑り止め突起６，６が設けられている。
【００１３】
また、洗面器台の上面５ｄ奥部には、一段低くカウンター載置凹部５ｅが設けられ、該カウンター載置凹部５ｅにカウンター４が嵌め込まれ載置されるように構成されている。カウンター載置凹部５ｅの後端は、段部５ｆを介在させて、ほぼ垂直な壁当接面５ｇとなっている。この洗面器台５は、中空状に形成されており、その内部にブラケット７，７を入れることができるものである。
ブラケット７は、壁面Ｗにビス等で固定することのできる垂直な壁固定片７ａの上端に、段部７ｂが形成され、この段部７ｂの上端から洗い場３側へ水平に突出して上面水平片７ｃが一体形成されており、この上面水平片７ｃと壁固定片７ａ間は、補強片７ｄで補強されたものとなっている。
【００１４】
まず、このブラケット７の壁固定片７ａを、図４のように、浴室の壁面Ｗにビス等で強固に固定させておき、洗い場側から洗面器台５をブラケット７，７に被せて、洗面器台５のカウンター載置凹部５ｅをブラケット７の上面水平片７ｃ上に当接させて、一対のブラケット７，７を介し強固に洗面器台５を壁面Ｗに固設することができ、この状態では、ブラケット７，７は完全に洗面器台５に隠されて、すっきりとした設置状態が得られるものである。
洗面器台５を固設した後に、洗面器台５のカウンター載置凹部５ｅ上にカウンター４の底面４ｃを当接させて嵌め込み、カウンター載置凹部５ｅ上にカウンター４を載置して設置することができ、カウンター４は、強固に固設された洗面器台５に支持されて、カウンター４にかかる荷重を洗面器台５で良好に受け止めることができるものとなる。
【００１５】
なお、図４に示す設置状態において、洗面器台５の前面立上部５ｂは、カウンター４の前面４ｂの前側、即ち洗い場３側へ突出し、しかも洗面器台５の突出部５ｃは、カウンター４の上面４ａよりも上方へ突出して、洗面器台５の上面５ｄはカウンターの上面４ａよりも上方に配置される。なお、洗面器台５の上面５ｄの水勾配は、カウンター４側へ下傾状の水勾配に設定しておくことができ、カウンター４の上面４ａの水勾配と、洗面器台５の上面５ｄの水勾配を逆勾配に設定しておくことができる。
【００１６】
このような設置状態においては、洗面器を置くスペースが洗面器台５の上面５ｄに確保され、良好に上面５ｄに洗面器を置くことができ、滑り止め突起６により洗面器の滑りを防ぎ、洗面器の落下を防止することができる。
即ち、浴槽２からの溢れ水がカウンター４側へ流れた時に、洗面器が洗面器台５から落下し易いが、カウンター上面４ａよりも洗面器台５の上面５ｄは高い位置にあるため、浴槽２からの溢れ水により、洗面器が落下することがなくなり、また洗面器台５の上面５ｄの水勾配をカウンター４側に下傾状に形成しておけば、洗面器はカウンター４側へ移動することがあっても、洗い場３側へは移動しないために、洗面器の落下を確実に防ぐことができるものとなる。
【００１７】
また、本例では、カウンター４は洗面器台５に支持されており、カウンター４には従来のようなブラケット等が用いられていないため、カウンター４は薄く形成することができ、小型の型で安価に形成することができるものとなる。
また、カウンター４と洗面器台５が別体で形成されているため、カウンター４と洗面器台５の意匠を変えることができ、意匠性が向上したものとなる。特にカウンター４の上面４ａと洗面器台５の上面５ｄに、連続状の水勾配を形成させる必要がないため、良好な意匠性を確保しやすくなる。
【００１８】
なお、図５に示すように、洗面器台５の強度を高め、洗面器台５にビス孔５ｈ，ビス孔５ｈを設けておき、このビス孔５ｈ，ビス孔５ｈにビス８，８を入れ、ビス８，８を壁面Ｗに締めつけて、ブラケット７を用いることなく、洗面器台５を壁面Ｗに固定させることもできる。
このような構造であっても、洗面器台５のカウンター載置凹部５ｅ上にカウンター４の底面４ｃを当接させて嵌め込み、カウンター載置凹部５ｅ上にカウンター４を載置して設置することができるものである。
【図面の簡単な説明】
【００１９】
【図１】浴室の概略平面構成図である。
【図２】カウンターと洗面器台の設置状態の斜視構成図である。
【図３】カウンターと洗面器台の分解斜視図である。
【図４】カウンターと洗面器台を設置した状態の縦断面側面拡大構成図である。
【図５】別例を示すカウンターと洗面器台の分解斜視図である。
【符号の説明】
【００２０】
１  浴室
２  浴槽
３  洗い場
４  カウンター
４ａ  上面
４ｂ  前面
５  洗面器台
５ａ下面湾曲部
５ｂ  前面立上部
５ｃ  突出部
５ｄ  上面
５ｅ  カウンター載置凹部
５ｈ  ビス孔
６  滑り止め突起
７  ブラケット
７ａ  壁固定片
７ｃ  上面水平片
８  ビス
【図１】
2006025887.tif 000003
【図２】
2006025887.tif 000004
【図３】
2006025887.tif 000005
【図４】
2006025887.tif 000006
【図５】
2006025887.tif 000007